(57)【特許請求の範囲】
【請求項１】
土中に支持力を得るためのアンカーであって、土中に位置する左右一対のアンカー本体と、該アンカー本体を土中において連結する土圧板を有する連結具と、この連結具に固定されるとともに連結具に対して一定角度で地上まで斜めに延びる支持具とからなることを特徴とする土中アンカー。
【請求項２】
土中に支持力を得るためのアンカーであって、土中に位置する左右一対のアンカー本体と、該アンカー本体を土中において連結する土圧板を有する連結具と、この連結具の下方に進入して地上まで延びるパイプ状部材でなる支持アンカー本体と、該支持アンカー本体内に挿通可能な径長を持つ軸体と、支持アンカー本体の下方に突出する前記軸体の下端部に拡開可能に軸支された拡開羽根とを備えてなることを特徴とする土中アンカー。
【請求項３】
拡開羽根は、軸体を上方に引き上げることにより土中で拡開してアンカー本体に係止する請求項２記載の土中アンカー。
【発明の詳細な説明】
【技術分野】
【０００１】
本発明は土中に支持力を得るためのアンカーであって、土中に位置する左右一対の２本のアンカーに連結具を配して、この連結具に支持索等を連結固定することによって土中での支持力を高めた土中アンカーに関するものである。
【背景技術】
【０００２】
従来から斜面の表層土砂が雨等の自然現象によって流出したり崩壊することを防止するため、種々の斜面安定工法が採用されている。斜面とは岩盤等の安定地盤が表土層で覆われ、表土層の表面が傾斜している場所であって、該斜面に複数本のアンカーを適当な間隔で圧入し、該アンカーの地表から突出した部分に支圧部材を取付けて地表を押圧する手段が一般に用いられている。特に表土層の一部または全部が流出するのを未然に防止するための法面の落石防止ネットに代表されるような各種の工法が斜面安定工法である。
【０００３】
上記に関して特許文献１には、アンカーの上端部が挿入しうる太さの筒体に複数枚の羽根を放射状に取付け、上記羽根の上端に支圧板が固定された支圧板付羽根装置を用意し、アンカーをその下部が斜面表土層下の安定地盤に達するように設置し、かつ、上記アンカーの上部を斜面地表よりも突出させておき、上記支圧板付羽根装置の上記筒体に地表に突出した上記アンカーの上部を嵌入して支圧板付羽根装置を上記支圧板が地表に接するまでアンカーに沿って地中に打込んで支圧板付羽根装置をアンカーに装着し、支圧板付羽根装置の筒体から突出したアンカーの上端部に抜止めを施すようにした斜面安定工法が記載されている。
【０００４】
更に特許文献２には、ロープで代表される条体を支持するため法面に設置されるアンカーにおいて、地中に埋設される部位に支持部を設けたアンカー本体と、下端が前記支持部に枢支されて土中を谷側に斜めに延び上端を条体と連結したアームまたは条体と、前記アンカー本体の位置よりも谷側の地表に設けられ前記アームまたは条体の先端領域を受け止める支圧板とを備えた土中アンカーが記載されている。アームは下面端縁に土砂を切り込むエッジを有する帯状板からなり、支圧板は地表に対する接地板と、地中に食い込む羽根板と、アームの先端領域を受け止める傾斜状受けを有した構成となっている。
【特許文献１】特開２００２−１８０４７２号公報
【特許文献２】特開２００３−２０１７１３号公報
【発明の開示】
【発明が解決しようとする課題】
【０００５】
しかしながら、前記したような一般に利用されている手段により斜面等にアンカーを圧入して、地表から突出した部分に支圧部材を取付けて地表を押圧する手段は、該アンカーの耐力が充分でない上、土中での支持力が充分に得られないので、長期に亘る使用中に該アンカーが抜去しやすいという課題がある。更に前記特許文献１，２に記載されたアンカーは構造的に複雑であってコスト面での難点があるとともに得られたアンカーの耐力が必ずしも良好ではないという問題が残っている。
【０００６】
そこで本発明は土中に位置する左右一対の２本のアンカー本体に土圧板を有する連結具を配して、この連結具に固定され地上まで延びる支持具とからなり、土中での支持力を高めることができるとともに、比較的簡易な構成でコスト的にも有利な土中アンカーを得ることを目的とするものである。
【課題を解決するための手段】
【０００７】
本発明は上記目的を達成するために、土中に支持力を得るためのアンカーであって、土中に位置する左右一対のアンカー本体と、該アンカー本体を土中において連結する土圧板を有する連結具と、この連結具に固定されるとともに連結具に対して一定角度で地上まで斜めに延びる支持具とからなる土中アンカーを基本構成としている。
【０００８】
更に土中に支持力を得るためのアンカーであって、土中に位置する左右一対のアンカー本体と、該アンカー本体を土中において連結する土圧板を有する連結具と、この連結具の下方に進入して地上まで延びるパイプ状部材でなる支持アンカー本体と、該支持アンカー本体内に挿通可能な径長を持つ軸体と、支持アンカー本体の下方に突出する前記軸体の下端部に拡開可能に軸支された拡開羽根とを備えてなる構成、及び拡開羽根は、軸体を上方に引き上げることにより土中で拡開してアンカー本体に係止する構成を提供する。
【０００９】
かかる土中アンカーによれば、施工時にエアパンチャー等を利用して地盤に複数個の孔部及び斜孔を穿孔し、斜孔内に支持具としてのロッドやワイヤを挿通してから、連結具の筒状部に挿通した左右一対のアンカー本体と土圧板を有する連結具を落とし込み、連結具に支持具を固定する。或いは、斜孔に支持アンカーを挿入するとともに、連結具の筒状部に挿通した左右一対のアンカー本体と連結具を孔部に落とし込み、支持アンカー本体を連結具の下方にまで進入させてから該支持アンカーに装備した拡開羽根を左右に拡開して左右一対のアンカー本体に係止させる。
【発明の効果】
【００１０】
本発明によって得られた土中アンカーによれば、左右一対のアンカー本体とともに、該アンカー本体を連結する土圧板を有する連結具によって高い支持力が得られる。よって、一般に利用されているアンカー圧入手段に較べて該アンカーの耐力が充分に得られるとともに土中での支持力も高く、長期に亘る使用中でもアンカーが抜去する自体は生じない。更にアンカー自体が構造的に簡易であって、コスト面でも有利な土中アンカーが提供される。
【発明を実施するための最良の形態】
【００１１】
以下本発明にかかる土中アンカーの最良の実施形態を説明する。本発明では土中に支持力を得るためのアンカーであって、土中に位置する左右一対のアンカー本体と、該アンカー本体を土中において連結する土圧板を有する連結具と、この連結具に固定されるとともに連結具に対して一定角度で地上まで斜めに延びる支持具とからなる土中アンカーを基本としている。
【００１２】
図１は本発明にかかる土中アンカー１の第１実施形態を示す正面断面図、図２はその側断面図、図３はその平面図である。この土中アンカー１は左右一対のアンカー本体２ａ，２ｂと、該アンカー本体２ａ，２ｂを連結するための連結具３と、この連結具３に固定される支持具としてのロッド４とを主要な構成要素としている。アンカー本体２ａ，２ｂは所定直径と長さを有する棒状体或いは中空のパイプ状部材であって、その下端部近傍は地中への圧入を容易にするために径長を下方に向けて細くしたテーパー部２ｃが形成されている。５はロッド４の上端に螺合固定されるアイボルトである。
【００１３】
図４は連結具３の正面図、図５は連結具３と支持具としてのロッド４の関係を示す平面図である。この連結具３は左右一対の筒状部６ａ，６ｂと、この筒状部６ａ，６ｂ間に配置された平板状の土圧板７とから構成されている。この土圧板７に穿設された小孔９に、ロッド４の螺子溝が刻設された先端部４ａを挿通し、ナット８を使用して固定する。或いは、ロッド４に替えて図示しないワイヤを使用して、ワイヤを小孔９に挿通し固定してもよい。なお、筒状部６ａ，６ｂはアンカー本体２ａ，２ｂを挿通できるように、アンカー本体２ａ，２ｂの直径より僅かに大きな直径寸法を有している。
【００１４】
以下に本発明にかかる土中アンカーの第１実施形態を土中に設置する際の施工手順に基づいて説明する。先ずエアパンチャー等を利用して、図３の平面図に示すように地盤に孔部１１，１２，１３を穿孔し、更に図２の側断面図に示すように孔部１４から上記孔部１２に達する斜孔１５を穿孔する。そして該斜孔１５内に連結具３に固定するための支持具としてのロッド４を挿通する。
【００１５】
次に孔部１１，１２，１３内に連結具３の筒状部６ａ，６ｂに挿通したアンカー本体２ａ，２ｂと連結具３を落とし込み、孔部１２を利用してロッド４の先端部４ａを連結具３の小孔９から突出させ、該先端部４ａをナット８を使用して固定する。その後、孔部１１，１２，１３を埋め戻すとともに、螺子溝が刻設されたロッド４の上端にアイボルト５を螺合固定し、該アイボルト５に法面の落石防止ネット等を固定することにより、アンカーとして支持力を得る。
【００１６】
図６は本発明にかかる土中アンカー１の第２実施形態を示す正面断面図、図７はその側断面図、図８はその平面図である。この第２実施形態はロッド４に替えて支持アンカー１６を使用したものであり、第１実施形態と同一構成には同一の符号を付して説明を省略する。支持アンカー１６は図９（Ａ）（Ｂ）に示すように、中空のパイプ状部材でなる支持アンカー本体１７と、該支持アンカー本体１７内に挿通可能な径長を持つ軸体１８、この軸体１８の上方に着脱自在に配置された操作杆１９、左右一対の拡開羽根２０ａ，２０ｂ、アイボルト５、支持金具２１とから構成され、軸体１８の下端部に穿孔された軸穴１８ａに拡開羽根２０ａ，２０ｂの基部に穿孔された軸穴２０ｃ，２０ｄを合わせてピンにより該拡開羽根２０ａ，２０ｂが回動可能であるように軸支し、操作杆１９を軸体１８の上端に螺合固定してから該軸体１８を支持アンカー本体１７内に挿通する。なお、支持アンカー本体１７の下端部近傍は地中への圧入を容易にするために径長を下方に向けて細くしたテーパー部１７ａが形成されている。
【００１７】
以下に本発明にかかる土中アンカーの第２実施形態を土中に設置する際の施工手順に基づいて説明する。先ず第１実施形態と同様にして、土圧板７を有する連結具３の筒状部６ａ，６ｂに挿通したアンカー本体２ａ，２ｂと連結具３を土中に配置するとともに、支持アンカー１６を斜孔１５内に挿入し、支持アンカー本体１７をアンカー本体２ａ，２ｂの間の連結具３の下方に進入させる。そしてセンターホールジャッキ等を用いて軸体１８の上端部に螺合固定した操作杆１９をチャックしてジャッキアップして、軸体１８を上方に引き上げることにより、拡開羽根２０ａ，２０ｂの先端部に形成された鋭利な刃部の作用によって該拡開羽根２０ａ，２０ｂが左右に拡開し、アンカー本体２ａ，２ｂに係止して地中に完全に固定される。次に操作杆１９を取り外し、地表面に支持金具２１を設置してからアイボルト５を軸体１８上端に螺合固定し、このアイボルト５にワイヤ２２を取付けて作業が終了する。このワイヤ２２を図示は省略する支圧部材に取付けて地表を押圧することにより、斜面等における地表安定化をはかることができる。かかる第２実施形態によれば、連結具３の土圧板７と支持アンカー１６の拡開羽根２０ａ，２０ｂの相乗効果によって、より強固な土中での支持力を得ることができる。
【産業上の利用可能性】
【００１８】
以上詳細に説明したように、本発明によれば通常のアンカー圧入手段に較べて該アンカーの耐力が充分に得られるとともに土中での支持力も高く、長期に亘る使用中でもアンカーが抜去する事態は生じないので、岩盤等の安定地盤が表土層で覆われて表土層の表面が傾斜している斜面における表土層の一部または全部が流出するのを未然に防止するための斜面安定工法に利用することができる。
【図面の簡単な説明】
【００１９】
【図１】本発明にかかる土中アンカーの第１実施形態を全体的に示す正面断面図。
【図２】図１の側断面図。
【図３】図１の平面図。
【図４】連結具の正面図。
【図５】連結具と支持具としてのロッドの関係を示す平面図。
【図６】本発明にかかる土中アンカーの第２実施形態を全体的に示す正面断面図。
【図７】図６の側断面図。
【図８】図６の平面図。
【図９】（Ａ）は支持アンカー本体の正面図、（Ｂ）は支持アンカー本体内に挿通する部材の分解正面図。
【符号の説明】
【００２０】
１…土中アンカー
２ａ，２ｂ…アンカー本体
３…連結具
４…ロッド
５…アイボルト
６ａ，６ｂ…筒状部
７…土圧板
８…ナット
９…小孔
１１，１２，１３，１４…孔部
１５…斜孔
１６…支持アンカー
１７…支持アンカー本体
１８…軸体
１９…操作杆
２１…支持金具
【要約】
【課題】斜面等の土中に支持力を得るためのアンカーであって、土中に位置する左右一対の２本のアンカーに連結具を配して、この連結具に支持索等を連結固定することによって土中での支持力を高めた土中アンカーを得ることを目的とする。
【解決手段】土中に支持力を得るためのアンカーであって、土中に位置する左右一対のアンカー本体２ａ，２ｂと、該アンカー本体２ａ，２ｂを連結する連結具３と、この連結具３に固定されるとともに連結具３に対して一定角度で地上まで斜めに延びる支持具とからなる土中アンカー、及び土中に位置する左右一対のアンカー本体２ａ，２ｂと、該アンカー本体２ａ，２ｂを連結する連結具３と、左右一対のアンカー本体２ａ，２ｂに拡開羽根２０ａ，２０ｂを係止して一定角度で地上まで斜めに延びる支持アンカー１６とからなる土中アンカーを提供する。
【選択図】図１
【図１】
0003650618.tif 000002
【図２】
0003650618.tif 000003
【図３】
0003650618.tif 000004
【図４】
0003650618.tif 000005
【図５】
0003650618.tif 000006
【図６】
0003650618.tif 000007
【図７】
0003650618.tif 000008
【図８】
0003650618.tif 000009
【図９】
0003650618.tif 000010